(57)【要約】【課題】  無線基地局が設置されている設置場所側において、当該無線基地局と対応付けられ、画像データとともに撮影機能付き無線通信端末によって送信される付加情報を容易に変更することができる画像データ処理システム及び無線基地局を提供する。【解決手段】  本発明に係るアクセスポイント１１０は、撮影機能を有する撮影機能付き無線通信端末によってアクセスされる無線基地局であって、無線基地局の通信カバーエリアにおいて撮影することができる被写体を一意に識別する被写体識別情報ＩＮＦ１に、被写体に関する付加情報ＩＮＦ２が対応付けられた付加情報テーブルを格納するデータ格納部１１５を備え、撮影機能付き無線通信端末によって送信された画像データＤＴ及び被写体識別情報ＩＮＦ１に付加情報ＩＮＦ２を付加した画像データセットＤＳを画像データ格納サーバに送信する情報送信部とを備える。【選択図】  図３
2006277476.tif 000002
【特許請求の範囲】
【請求項１】
撮影機能を有する撮影機能付き無線通信端末によってアクセスされる無線基地局と、前記撮影機能付き無線通信端末によって送信された画像データを少なくとも格納する画像データ格納サーバとを備える画像データ処理システムであって、
前記無線基地局は、
前記無線基地局の通信カバーエリアにおいて撮影することができる被写体を一意に識別する被写体識別情報に、前記被写体に関する付加情報が対応付けられた付加情報テーブルを格納する付加情報テーブル格納部と、
前記撮影機能付き無線通信端末によって送信された前記画像データ及び前記被写体識別情報を受信する基地局受信部と、
前記基地局受信部が受信した前記画像データ及び前記被写体識別情報に前記付加情報を付加した画像データセットを前記画像データ格納サーバに送信する情報送信部と
を備え、
前記画像データ格納サーバは、
前記無線基地局によって送信された前記画像データセットを受信するサーバ受信部と、
前記サーバ受信部が受信した前記画像データセットを格納する画像データセット格納部と
を備えることを特徴とする画像データ処理システム。
【請求項２】
前記画像データ格納サーバは、
前記サーバ受信部が受信した前記画像データセットに含まれている前記被写体識別情報が、既に前記画像データセット格納部に格納されている場合、前記画像データセットに含まれている前記画像データのみを前記画像データセット格納部に格納させる画像データ処理部をさらに備えることを特徴とする請求項１に記載の画像データ処理システム。
【請求項３】
撮影機能を有する撮影機能付き無線通信端末によってアクセスされる無線基地局であって、
前記無線基地局の通信カバーエリアにおいて撮影することができる被写体を一意に識別する被写体識別情報に、前記被写体に関する付加情報が対応付けられた付加情報テーブルを格納する付加情報テーブル格納部と、
前記撮影機能付き無線通信端末によって送信された画像データ及び前記被写体識別情報を受信する基地局受信部と、
前記基地局受信部が受信した前記画像データ及び前記被写体識別情報に前記付加情報を付加した画像データセットを、前記画像データセットを格納する画像データ格納サーバに送信する情報送信部と
を備えることを特徴とする無線基地局。
【発明の詳細な説明】
【技術分野】
【０００１】
本発明は、撮影機能を有する撮影機能付き無線通信端末によってアクセスされる無線基地局と、当該撮影機能付き無線通信端末によって送信された画像データを少なくとも格納する画像データ格納サーバとを備える画像データ処理システムに関する。また、本発明は、撮影機能を有する撮影機能付き無線通信端末によってアクセスされる無線基地局に関する。
【背景技術】
【０００２】
近年、無線ＬＡＮなどの無線通信方式の普及に伴い、駅や飲食店、文化施設などの公共スペースにおいて、当該無線通信方式を用いた通信ネットワーク接続サービスが提供されている。
【０００３】
このような無線通信方式を用いたネットワーク接続サービスを用いて、通信機能付きのデジタルカメラや、デジタルカメラ付きの携帯電話端末（以下、撮影機能付き無線通信端末によって撮影された画像データと、撮影機能付き無線通信端末がアクセスした無線基地局（アクセスポイント）の識別情報（ＳＳＩＤやＭＡＣアドレス）とを、画像データを格納する画像データ格納サーバ（ホームサーバなど）に送信する方法が提案されている（例えば、特許文献１）。
【０００４】
当該無線基地局の識別情報を撮影機能付き無線通信端末から受信した画像データ格納サーバは、識別情報と、無線基地局が設置されている場所の地名などの“付加情報”とを対応付けて管理している“設置場所情報サーバ”から付加情報を取得し、取得した付加情報とともに、撮影機能付き無線通信端末から受信した画像データを格納する。
【特許文献１】特開２００４−３２６４１６号公報（第５−６頁、第６−８図）
【発明の開示】
【発明が解決しようとする課題】
【０００５】
しかしながら、上述した従来の方法には、次のような問題があった。無線基地局の識別情報と付加情報とを対応付けて管理している設置場所情報サーバは、無線通信方式を用いた通信ネットワーク接続サービスを提供する提供者によって管理されている。
【０００６】
このため、無線基地局が設置されている施設（例えば、上述した駅や飲食店、文化施設など）では、無線基地局と対応付けられる付加情報を容易に変更することが出来ないといった問題があった。
【０００７】
そこで、本発明は、このような状況に鑑みてなされたものであり、無線基地局が設置されている設置場所側において、当該無線基地局と対応付けられ、画像データとともに撮影機能付き無線通信端末によって送信される付加情報を容易に変更することができる画像データ処理システム及び無線基地局を提供することを目的とする。
【課題を解決するための手段】
【０００８】
上述した問題を解決するため、本発明は、次のような特徴を有している。まず、本発明の第１の特徴は、撮影機能を有する撮影機能付き無線通信端末（デジタルカメラ５０）によってアクセスされる無線基地局（アクセスポイント１１０）と、前記撮影機能付き無線通信端末によって送信された画像データ（画像データＤＴ）を少なくとも格納する画像データ格納サーバ（ホームサーバ２００）とを備える画像データ処理システムであって、前記無線基地局は、前記無線基地局の通信カバーエリア（美術館１０内）において撮影することができる被写体（例えば、絵画１１Ａ）を一意に識別する被写体識別情報（被写体識別情報ＩＮＦ１）に、前記被写体に関する付加情報（付加情報ＩＮＦ２）が対応付けられた付加情報テーブル（付加情報テーブル）を格納する付加情報テーブル格納部（データ格納部１１５）と、前記撮影機能付き無線通信端末によって送信された前記画像データ及び前記被写体識別情報を受信する基地局受信部（無線通信部１１１）と、前記基地局受信部が受信した前記画像データ及び前記被写体識別情報に前記付加情報を付加した画像データセット（画像データセットＤＳ）を前記画像データ格納サーバに送信する情報送信部（有線通信部１１７）とを備え、前記画像データ格納サーバは、前記無線基地局によって送信された前記画像データセットを受信するサーバ受信部（有線通信部２０１）と、前記サーバ受信部が受信した前記画像データセットを格納する画像データセット格納部（データ格納部２０５）とを備えることを要旨とする。
【０００９】
このような特徴によれば、無線基地局の通信カバーエリアにおいて撮影することができる被写体を一意に識別する被写体識別情報に、当該被写体に関する付加情報が対応付けられた付加情報テーブルが、無線基地局に格納される。
【００１０】
このため、無線基地局が設置されている施設（例えば、駅や飲食店、文化施設など）では、無線基地局と対応付けられる付加情報を容易に変更することができる。
【００１１】
本発明の第２の特徴は、本発明の第１の特徴に係り、前記画像データ格納サーバは、前記サーバ受信部が受信した前記画像データセットに含まれている前記被写体識別情報が、既に前記画像データセット格納部に格納されている場合、前記画像データセットに含まれている前記画像データのみを前記画像データセット格納部に格納させる画像データ処理部（データ処理部２０３）をさらに備えることを要旨とする。
【００１２】
本発明の第３の特徴は、撮影機能を有する撮影機能付き無線通信端末によってアクセスされる無線基地局であって、前記無線基地局の通信カバーエリアにおいて撮影することができる被写体を一意に識別する被写体識別情報に、前記被写体に関する付加情報が対応付けられた付加情報テーブルを格納する付加情報テーブル格納部と、前記撮影機能付き無線通信端末によって送信された画像データ及び前記被写体識別情報を受信する基地局受信部と、前記基地局受信部が受信した前記画像データ及び前記被写体識別情報に前記付加情報を付加した画像データセットを、前記画像データセットを格納する画像データ格納サーバに送信する情報送信部とを備えることを要旨とする。
【発明の効果】
【００１３】
本発明の特徴によれば、無線基地局が設置されている設置場所側において、当該無線基地局と対応付けられ、画像データとともに撮影機能付き無線通信端末によって送信される付加情報を容易に変更することができる画像データ処理システム及び無線基地局を提供することができる。
【発明を実施するための最良の形態】
【００１４】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１５】
したがって、具体的な寸法などは以下の説明を参酌して判断すべきものである。また、図面相互間においても互いの寸法の関係や比率が異なる部分が含まれていることは勿論である。
【００１６】
（画像データ処理システムを含む通信ネットワーク接続サービスの概略）
図１は、本実施形態に係る画像データ処理システムを含む通信ネットワーク接続サービスの概略を示している。本実施形態に係る画像データ処理システムは、アクセスポイント１１０（無線基地局）と、ホームサーバ２００（画像データ格納サーバ）とによって構成されている。
【００１７】
アクセスポイント１１０は、美術館１０内に設置されている。アクセスポイント１１０は、ＩＥＥ８０２．１１によって規定される無線ＬＡＮ方式を用いた無線基地局であり、無線による通信機能を有するデジタルカメラ５０（撮影機能付き無線通信端末）によってアクセスされる。
【００１８】
すなわち、アクセスポイント１１０は、美術館１０内を通信カバーエリアとしており、美術館１０の来館者などが使用するデジタルカメラ５０に対して、通信ネットワーク２０への接続サービスを提供するために設置されている。
【００１９】
なお、本実施形態では、無線による通信機能を有するデジタルカメラ５０が用いられているが、デジタルカメラ５０に代えて、アクセスポイント１１０にアクセスすることができる通信機能を有するデジタルカメラ付きの携帯電話端末などを用いてもよい。
【００２０】
デジタルカメラ５０は、美術館１０に展示されている絵画１１Ａや絵画１１Ｂ（被写体）を撮影するために用いられる。
【００２１】
絵画１１Ａの近傍には、絵画１１Ａを一意に識別する被写体識別情報ＩＮＦ１（図１において不図示、図９参照）を表示する被写体識別情報表示１２Ａが設置されている。同様に、絵画１１Ｂの近傍には、絵画１１Ｂを一意に識別する被写体識別情報ＩＮＦ１を表示する被写体識別情報表示１２Ｂが設置されている。
【００２２】
本実施形態では、被写体識別情報表示１２Ａ，１２Ｂとしては、単純な数字や文字の組合せが用いられる。被写体識別情報表示１２Ａ，１２Ｂに表示されている被写体識別情報ＩＮＦ１は、デジタルカメラ５０に設けられている操作キー部５３（図１において不図示、図２参照）を用いて、デジタルカメラ５０に入力される。
【００２３】
なお、単純な数字や文字の組合せに代えて、バーコード（一次元または二次元）を用いて被写体識別情報ＩＮＦ１を表示してもよい。この場合、デジタルカメラ５０には、当該バーコードを読み取る機能が設けられる。
【００２４】
絵画１１Ａ（１１Ｂ）を撮影することによってデジタルカメラ５０が生成した画像データＤＴ（図１において不図示、図２参照）、及び被写体識別情報ＩＮＦ１などは、デジタルカメラ５０のユーザの自宅であるユーザ宅３０に設置されているホームサーバ２００に格納される。
【００２５】
具体的には、デジタルカメラ５０によって送信された画像データＤＴなどは、アクセスポイント１１０及び通信ネットワーク２０を介してホームサーバ２００に送信される。
【００２６】
認証サーバ１２０は、デジタルカメラ５０が通信ネットワーク２０への接続サービスの提供を受ける際に、デジタルカメラ５０のユーザが正規のユーザであるか否かを認証するサーバである。
【００２７】
（論理ブロック構成）
次に、上述した通信ネットワーク接続サービスにおいて用いられるデジタルカメラ５０、アクセスポイント１１０及びホームサーバ２００の論理ブロック構成について説明する。なお、以下、本発明との関連がある部分について主に説明する。したがって、各装置の機能を実現する上で必須な、図示しない或いは説明を省略した論理ブロック（電源部など）を備える場合があることに留意されたい。
【００２８】
（１）デジタルカメラ
図２は、デジタルカメラ５０の論理ブロック構成図である。図２に示すように、デジタルカメラ５０は、デジタルカメラ部５１、操作キー部５３、データ処理部５５、データ格納部５７及び無線通信部５９を備えている。
【００２９】
デジタルカメラ部５１は、カメラレンズやＣＣＤなどによって構成されており、撮影した被写体の画像データＤＴを生成する。また、デジタルカメラ部５１は、生成した画像データＤＴをデータ処理部５５に出力する。
【００３０】
操作キー部５３は、デジタルカメラ部５１が具備する各種機能を設定したり、画像データＤＴの処理（表示や消去など）したりするために用いられる。また、本実施形態では、操作キー部５３は、被写体識別情報表示１２Ａ，１２Ｂに表示されている被写体識別情報ＩＮＦ１をユーザが入力するために用いられる。
【００３１】
データ処理部５５は、デジタルカメラ部５１によって出力された画像データＤＴの処理を実行する。具体的には、データ処理部５５は、画像データＤＴのサイズ（データ容量）を変換したり、画像データＤＴをデータ格納部５７に格納させたりすることができる。
【００３２】
また、データ処理部５５は、操作キー部５３を用いて入力された被写体識別情報ＩＮＦ１と画像データＤＴとを対応付けることができる。なお、データ処理部５５は、静止画像及び動画像の何れの画像データＤＴも処理することができる。
【００３３】
データ格納部５７は、画像データＤＴや操作キー部５３用いて入力された被写体識別情報ＩＮＦ１などを格納する。
【００３４】
無線通信部５９は、ＩＥＥＥ８０２．１１によって規定される無線ＬＡＮ方式を用いて、アクセスポイント１１０にアクセスする。無線通信部５９は、データ処理部５５によって出力された画像データＤＴや被写体識別情報ＩＮＦ１を含むＩＰパケットをアクセスポイント１１０に向けて送信したり、アクセスポイント１１０からＩＰパケットを受信したりする。
【００３５】
また、無線通信部５９は、ホームサーバ２００との通信が可能か否かを判定するため、ｐｉｎｇパケット（ＩＣＭＰ ｅｃｈｏメッセージ）を送受信することができる。
【００３６】
（２）アクセスポイント
図３は、アクセスポイント１１０の論理ブロック構成図である。図３に示すように、アクセスポイント１１０は、無線通信部１１１、データ処理部１１３、データ格納部１１５及び有線通信部１１７を備えている。
【００３７】
無線通信部１１１は、ＩＥＥＥ８０２．１１によって規定される無線ＬＡＮ方式を用いて、デジタルカメラ５０をアクセスポイント１１０にアクセスさせる。無線通信部１１１は、デジタルカメラ５０によって送信されたＩＰパケットを受信したり、デジタルカメラ５０宛てのＩＰパケットを送信したりすることができる。
【００３８】
また、無線通信部１１１は、デジタルカメラ５０によって送信されたＩＰパケットに含まれる画像データＤＴや被写体識別情報ＩＮＦ１をデータ処理部１１３に出力する。
【００３９】
本実施形態において、無線通信部１１１は、デジタルカメラ５０によって送信された画像データＤＴ及び被写体識別情報ＩＮＦ１を受信するものであり、基地局受信部を構成する。
【００４０】
データ処理部１１３は、無線通信部１１１によって出力された画像データＤＴや被写体識別情報ＩＮＦ１の処理を実行する。具体的には、データ処理部１１３は、無線通信部１１１によって出力された被写体識別情報ＩＮＦ１に基づいて、データ格納部１１５に格納されている付加情報テーブルＴＢ（図９参照）の内容を検索する。
【００４１】
データ処理部１１３は、付加情報テーブルＴＢにおいて被写体識別情報ＩＮＦ１と対応付けられている付加情報ＩＮＦ２（図９参照）を、無線通信部１１１によって出力された画像データＤＴ及び被写体識別情報ＩＮＦ１に付加し、画像データＤＴ、被写体識別情報ＩＮＦ１及び付加情報ＩＮＦ２によって構成される画像データセットＤＳを生成する。
【００４２】
データ処理部１１３は、生成した画像データセットＤＳを有線通信部１１７に出力する。また、データ処理部１１３は、有線通信部１１７によって出力されたデータ（例えば、ホームサーバ２００によって送信ＩＣＭＰ ｅｃｈｏメッセージ）を無線通信部１１１に中継する。
【００４３】
データ格納部１１５は、図９に示す付加情報テーブルＴＢを格納するものである。付加情報テーブルＴＢは、アクセスポイント１１０の通信カバーエリアにおいて撮影することができる被写体（絵画１１Ａ，１１Ｂ）を一意に識別する被写体識別情報ＩＮＦ１に、当該被写体に関する付加情報ＩＮＦ２が対応付けられたテーブルである。
【００４４】
本実施形態では、被写体識別情報ＩＮＦ１は、８桁の数字で構成されており、上位４桁は、アクセスポイント１１０に固有なシリアル番号である。また、下位４桁は、アクセスポイント１１０の設置責任者、つまり、美術館１０の運営者によって任意に設定可能である。
【００４５】
また、付加情報ＩＮＦ２は、特定の被写体識別情報ＩＮＦ１と対応付けられている。例えば、“１２３４ ０００１”は、絵画１１Ａを一意に識別する被写体識別情報ＩＮＦ１であり、“タイトル：ＡＡＡＡ、著作者：ＢＢＢＢ……”を内容とする付加情報ＩＮＦ２と対応付けられている。
【００４６】
有線通信部１１７は、通信ネットワーク２０に接続するための通信インターフェースを提供する。有線通信部１１７は、１００ＢＡＳＥ−ＴＸなどの有線ＬＡＮ方式を用いて、通信ネットワーク２０に接続する。
【００４７】
また、有線通信部１１７は、データ処理部１１３によって出力された画像データセットＤＳを含むＩＰパケットをホームサーバ２００に送信する。本実施形態において、有線通信部１１７は情報送信部を構成する。
【００４８】
（３）画像データ格納サーバ
図４は、ホームサーバ２００（画像データ格納サーバ）の論理ブロック構成図である。図４に示すように、ホームサーバ２００は、有線通信部２０１、データ処理部２０３及びデータ格納部２０５を備えている。
【００４９】
有線通信部２０１は、通信ネットワーク２０に接続するための通信インターフェースを提供する。有線通信部２０１は、１００ＢＡＳＥ−ＴＸなどの有線ＬＡＮ方式を用いて、通信ネットワーク２０に接続する。
【００５０】
具体的には、有線通信部２０１は、アクセスポイント１１０によって送信された画像データセットＤＳを含むＩＰパケットを受信する。本実施形態において、有線通信部２０１はサーバ受信部を構成する。さらに、有線通信部２０１は、受信した画像データセットＤＳをデータ処理部２０３に出力する。
【００５１】
また、有線通信部２０１は、データ処理部２０３によって送信されたＩＰパケット（例えば、ホームサーバ２００によって送信ＩＣＭＰ ｅｃｈｏメッセージを含むＩＰパケット）を通信ネットワーク２０に向けて送信する。
【００５２】
データ処理部２０３は、有線通信部２０１によって出力された画像データセットＤＳの処理を実行する。具体的には、データ処理部２０３は、有線通信部２０１によって出力された画像データセットＤＳに含まれている画像データＤＴ、被写体識別情報ＩＮＦ１及び付加情報ＩＮＦ２をデータ格納部２０５に格納させる。
【００５３】
また、データ処理部２０３は、有線通信部２０１によって出力された画像データセットＤＳに含まれている被写体識別情報ＩＮＦ１が、既にデータ格納部２０５に格納されている場合、画像データセットＤＳに含まれている画像データＤＴのみをデータ格納部２０５に格納させることができる。本実施形態において、データ処理部２０３は画像データ処理部を構成する。
【００５４】
データ格納部２０５は、データ処理部２０３の指示に基づいて、有線通信部２０１が受信した画像データセットＤＳに含まれている画像データＤＴ、被写体識別情報ＩＮＦ１及び付加情報ＩＮＦ２を格納する。本実施形態において、データ格納部２０５は、画像データセット格納部を構成する。
【００５５】
（画像データ処理システムの動作）
次に、上述した本実施形態に係る画像データ処理システムの動作について説明する。図５は、デジタルカメラ５０、アクセスポイント１１０及びホームサーバ２００間における概略通信シーケンスを示している。
【００５６】
また、図６〜図８は、デジタルカメラ５０、アクセスポイント１１０及びホームサーバ２００の動作フローをそれぞれ示している。
【００５７】
（１）概略通信シーケンス
図５に示すように、ステップＳ１０において、デジタルカメラ５０は、ＩＰアドレスの割当要求をアクセスポイント１１０に送信する。
【００５８】
ステップＳ２０において、アクセスポイント１１０は、デジタルカメラ５０によって送信されたＩＰアドレスの割当要求に基づいて、デジタルカメラ５０にＩＰアドレスを割り当てる。
【００５９】
ステップＳ３０において、デジタルカメラ５０は、割り当てられたＩＰアドレスを設定し、ホームサーバ２００に対してｐｉｎｇパケット（ＩＣＭＰ ｅｃｈｏメッセージ）を送信する。
【００６０】
ステップＳ４０において、ホームサーバ２００は、デジタルカメラ５０によって送信されたｐｉｎｇパケットに基づいて、デジタルカメラ５０に応答（ＩＣＭＰ ｅｃｈｏメッセージ）を送信する。
【００６１】
ステップＳ５０において、デジタルカメラ５０は、撮影した被写体（例えば、絵画１１Ａ）の画像データＤＴ、当該被写体を識別する被写体識別情報ＩＮＦ１（例えば、被写体識別情報表示１２Ａに表示されている被写体識別情報ＩＮＦ１）、及びホームサーバ２００のＩＰアドレスを含むＩＰパケットをアクセスポイント１１０に向けて送信する。
【００６２】
ステップＳ６０において、アクセスポイント１１０は、デジタルカメラ５０によって送信されたＩＰパケットに含まれている被写体識別情報ＩＮＦ１と対応付けられている付加情報ＩＮＦ２を、画像データＤＴ及び被写体識別情報ＩＮＦ１に付加した画像データセットＤＳを含むＩＰパケットをホームサーバ２００に送信する。
【００６３】
（２）デジタルカメラの動作フロー
図６は、上述した通信シーケンスに関するデジタルカメラ５０の動作フローを示している。図６に示すように、ステップＳ１１０において、デジタルカメラ５０は、デジタルカメラ５０にＩＰアドレスが割り当てられているか否かを判定する。
【００６４】
ＩＰアドレスが割り当てられていない場合（ステップＳ１１０のＮＯ）、ステップＳ１２０において、デジタルカメラ５０は、アクセスポイント１１０からＩＰアドレスを取得する。
【００６５】
ＩＰアドレスが割り当てられている場合（ステップＳ１１０のＹＥＳ）、ステップＳ１３０において、デジタルカメラ５０は、ホームサーバ２００と接続可能か否かを判定する。具体的には、デジタルカメラ５０は、上述したように、ｐｉｎｇパケット（ＩＣＭＰ ｅｃｈｏメッセージ）を用いて、ホームサーバ２００と接続可能か否かを判定する。
【００６６】
ホームサーバ２００と接続できない場合（ステップＳ１３０のＮＯ）、ステップＳ１４０において、デジタルカメラ５０は、ホームサーバ２００と接続できないことをデジタルカメラ５０のユーザに通知する。
【００６７】
ホームサーバ２００と接続できる場合（ステップＳ１３０のＹＥＳ）、ステップＳ１５０において、デジタルカメラ５０のユーザは、デジタルカメラ５０を用いて被写体（例えば、絵画１１Ａ）を撮影する。
【００６８】
ステップＳ１６０において、デジタルカメラ５０は、被写体識別情報ＩＮＦ１が入力されたか否かを判定する。
【００６９】
被写体識別情報ＩＮＦ１が入力された場合（ステップＳ１６０のＹＥＳ）、ステップＳ１７０において、デジタルカメラ５０は、撮影した被写体（例えば、絵画１１Ａ）の画像データＤＴ、当該被写体を識別する被写体識別情報ＩＮＦ１（例えば、被写体識別情報表示１２Ａに表示されている被写体識別情報ＩＮＦ１）、及びホームサーバ２００のＩＰアドレスを含むＩＰパケットをアクセスポイント１１０に向けて送信する。
【００７０】
被写体識別情報ＩＮＦ１が入力されない場合（ステップＳ１６０のＮＯ）、ステップＳ１８０において、デジタルカメラ５０は、画像データＤＴ及びホームサーバ２００のＩＰアドレスを含むＩＰパケットをアクセスポイント１１０に向けて送信する。
【００７１】
（３）アクセスポイント
図７は、上述した通信シーケンスに関するアクセスポイント１１０の動作フローを示している。図７に示すように、ステップＳ２１０において、アクセスポイント１１０は、無線通信部１１１を介してＩＰパケットを受信したか否かを判定する。
【００７２】
ＩＰパケットを受信した場合（ステップＳ２１０のＹＥＳ）、ステップＳ２２０において、アクセスポイント１１０は、受信したＩＰパケットの内容がＩＰアドレスの割当要求か否かを判定する。
【００７３】
ＩＰアドレスの割当要求である場合（ステップＳ２２０のＹＥＳ）、ステップＳ２３０において、アクセスポイント１１０は、デジタルカメラ５０に対してＩＰアドレスを割り当てる。
【００７４】
ＩＰアドレスの割当要求でない場合（ステップＳ２２０のＮＯ）、ステップＳ２４０において、アクセスポイント１１０は、受信したＩＰパケットの内容がｐｉｎｇパケット（ＩＣＭＰ ｅｃｈｏメッセージ）であるか否かを判定する。
【００７５】
ｐｉｎｇパケットである場合（ステップＳ２４０のＹＥＳ）、ステップＳ２５０において、アクセスポイント１１０は、受信したｐｉｎｇパケットをホームサーバ２００に転送する。
【００７６】
ｐｉｎｇパケットでない場合（ステップＳ２４０のＮＯ）、ステップＳ２６０において、アクセスポイント１１０は、受信したＩＰパケットが被写体識別情報ＩＮＦ１を含んでいるか否かを判定する。
【００７７】
被写体識別情報ＩＮＦ１を含んでいる場合（ステップＳ２６０のＹＥＳ）、ステップＳ２７０において、アクセスポイント１１０は、被写体識別情報ＩＮＦ１に対応付けられている付加情報ＩＮＦ２を検索する。
【００７８】
具体的には、アクセスポイント１１０は、データ格納部１１５に格納されている付加情報テーブルＴＢの内容を検索する。
【００７９】
ステップＳ２８０において、アクセスポイント１１０は、受信したＩＰパケットに含まれている被写体識別情報ＩＮＦ１に対応付けられている付加情報ＩＮＦ２があるか否かを判定する。
【００８０】
被写体識別情報ＩＮＦ１に対応付けられている付加情報ＩＮＦ２がある場合（ステップＳ２８０のＹＥＳ）、ステップＳ２９０において、アクセスポイント１１０は、画像データＤＴ及び被写体識別情報ＩＮＦ１に、検索した付加情報ＩＮＦ２を付加した画像データセットＤＳを含むＩＰパケットをホームサーバ２００に送信する。
【００８１】
被写体識別情報ＩＮＦ１に対応付けられている付加情報ＩＮＦ２がない場合（ステップＳ２８０のＮＯ）、ステップＳ３００において、アクセスポイント１１０は、画像データＤＴ（王及びホームサーバ２００のＩＰアドレス）を含むＩＰパケットをホームサーバ２００に送信する。
【００８２】
（４）ホームサーバ
図８は、上述した通信シーケンスに関するホームサーバ２００の動作フローを示している。図８に示すように、ステップＳ４１０において、ホームサーバ２００は、通信ネットワーク２０を介してＩＰパケットを受信したか否かを判定する。
【００８３】
ＩＰパケットを受信した場合（ステップＳ４１０のＹＥＳ）、ステップＳ４２０において、ホームサーバ２００は、受信したＩＰパケットの内容がｐｉｎｇパケット（ＩＣＭＰ ｅｃｈｏメッセージ）であるか否かを判定する。
【００８４】
ｐｉｎｇパケットである場合（ステップＳ４２０のＹＥＳ）、ステップＳ４３０において、ホームサーバ２００は、デジタルカメラ５０に応答（ＩＣＭＰ ｅｃｈｏメッセージ）を送信する。
【００８５】
ｐｉｎｇパケットでない場合（ステップＳ４２０のＮＯ）、ステップＳ４４０において、ホームサーバ２００は、受信したＩＰパケットが被写体識別情報ＩＮＦ１を含んでいるか否かを判定する。
【００８６】
被写体識別情報ＩＮＦ１を含んでいる場合（ステップＳ４４０のＹＥＳ）、ステップＳ４５０において、ホームサーバ２００は、受信したＩＰパケットが被写体識別情報ＩＮＦ１に対応付けられている付加情報ＩＮＦ２を既に格納しているか否かを判定する。
【００８７】
受信したＩＰパケットが被写体識別情報ＩＮＦ１に対応付けられている付加情報ＩＮＦ２を既に格納していない場合（ステップＳ４５０のＮＯ）、ステップＳ４６０において、ホームサーバ２００は、画像データＤＴ、被写体識別情報ＩＮＦ１及び付加情報ＩＮＦ２（画像データセットＤＳ）を格納する。
【００８８】
受信したＩＰパケットが被写体識別情報ＩＮＦ１を含んでいない場合（ステップＳ４４０のＮＯ）、または受信したＩＰパケットが被写体識別情報ＩＮＦ１に対応付けられている付加情報ＩＮＦ２を既に格納している場合（ステップＳ４５０のＹＥＳ）、ステップＳ４７０において、ホームサーバ２００は、画像データＤＴのみを格納する。
【００８９】
（作用・効果）
以上説明した本実施形態に係る画像データ処理システムによれば、アクセスポイント１１０の通信カバーエリアにおいて撮影することができる被写体（絵画１１Ａ，１１Ｂ）を一意に識別する被写体識別情報ＩＮＦ１に、当該被写体に関する付加情報ＩＮＦ２が対応付けられた付加情報テーブルが、アクセスポイント１１０に格納される。
【００９０】
このため、アクセスポイント１１０が設置されている施設（例えば、駅や飲食店、文化施設など）では、アクセスポイント１１０と対応付けられる付加情報ＩＮＦ２を容易に変更することができる。
【００９１】
本実施形態のように、美術館１０などでは、被写体識別情報ＩＮＦ１に対応付けられる付加情報ＩＮＦ２が頻繁に変更されることが想定される。従来の方法のように、アクセスポイント１１０を用いて通信ネットワーク接続サービスを提供する提供者において一元管理される設置場所情報サーバに、被写体識別情報ＩＮＦ１に対応付けられる付加情報ＩＮＦ２を格納することも考えられる。
【００９２】
しかしながら、この場合、設置場所情報サーバに対するユーザ毎のアクセス管理が必須となり、本実施形態と比較すると、被写体識別情報ＩＮＦ１に対応付けられる付加情報ＩＮＦ２の変更の自由度が制限（例えば、設置場所情報サーバへのアクセスや認証の必要性、付加情報ＩＮＦ２のサイズ、変更内容の反映の即時性など）される。
【００９３】
また、本実施形態に係る画像データ処理システムによれば、被写体毎に被写体識別情報ＩＮＦ１を割り当てることが可能となるため、アクセスポイント（無線基地局）ごとに識別情報を設定して、アクセスポイントごとに付加情報を割り当てる従来の方法よりも、付加情報をより自由に付加することが可能となる。
【００９４】
また、本実施形態に係る画像データ処理システムによれば、ホームサーバ２００が受信した画像データセットＤＳに含まれている被写体識別情報ＩＮＦ１が、既にホームサーバ２００に格納されている場合、画像データセットＤＳに含まれている画像データＤＴのみを格納することができる。
【００９５】
このため、同一の付加情報ＩＮＦ２を重複して格納することが回避され、ホームサーバ２００のデータ格納部２０５を効率的に使用することができる。
【００９６】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００９７】
例えば、上述した本発明の実施形態では、ＩＥＥＥ８０２．１１によって規定される無線ＬＡＮ方式が用いられていたが、デジタルカメラ５０及びアクセスポイント１１０において用いられる無線通信方式は、ＩＥＥＥ８０２．１１によって規定される無線ＬＡＮ方式に限定されるものではない。例えば、ＩＥＥＥ８０２．１１によって規定される無線ＬＡＮ方式に代えて、ＵＷＢなどを用いてもよい。
【００９８】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００９９】
【図１】本発明の実施形態に係る画像データ処理システムを含む通信ネットワーク接続サービスの概略を示す図である。
【図２】本発明の実施形態に係る撮影機能付き無線通信端末（デジタルカメラ）の論理ブロック構成図である。
【図３】本発明の実施形態に係る無線基地局（アクセスポイント）の論理ブロック構成図である。
【図４】本発明の実施形態に係る画像データ格納サーバ（ホームサーバ）の論理ブロック構成図である。
【図５】本発明の実施形態に係るデジタルカメラ、アクセスポイント及びホームサーバ間における概略通信シーケンスを示している。
【図６】本発明の実施形態に係るデジタルカメラの動作フローである。
【図７】本発明の実施形態に係るアクセスポイントの動作フローである。
【図８】本発明の実施形態に係るホームサーバの動作フローである。
【図９】本発明の実施形態に係る付加情報テーブルの一例を示す図である。
【符号の説明】
【０１００】
１０…美術館、１１Ａ，１１Ｂ…絵画、１２Ａ，１２Ｂ…被写体識別情報表示、２０…通信ネットワーク、３０…ユーザ宅、５０…デジタルカメラ、５１…デジタルカメラ部、５３…操作キー部、５５…データ処理部、５７…データ格納部、５９…無線通信部、１１０…アクセスポイント、１１１…無線通信部、１１３…データ処理部、１１５…データ格納部、１１７…有線通信部、１２０…認証サーバ、２００…ホームサーバ、２０１…有線通信部、２０３…データ処理部、２０５…データ格納部、ＤＳ…画像データセット、ＤＴ…画像データ、ＩＮＦ１…被写体識別情報、ＩＮＦ２…付加情報、ＴＢ…付加情報テーブル
【図１】
2006277476.tif 000003
【図２】
2006277476.tif 000004
【図３】
2006277476.tif 000005
【図４】
2006277476.tif 000006
【図５】
2006277476.tif 000007
【図６】
2006277476.tif 000008
【図７】
2006277476.tif 000009
【図８】
2006277476.tif 000010
【図９】
2006277476.tif 000011